(57)【特許請求の範囲】
【請求項１】
相互に平行な複数の屋根板支持パイプを有する天井フレームと、
前記天井フレームの一端部に開閉自在に取り付けられた２本の第１の開閉支柱、およびそれぞれの第１の開閉支柱に摺動自在に嵌合されるとともに相互に安全柵により連結された２本の第１の摺動支柱を有する第１の側面フレームと、
前記天井フレームの他端部に開閉自在に取り付けられる２本の第２の開閉支柱、およびそれぞれの第２の開閉支柱に摺動自在に嵌合されるとともに相互に安全柵により連結された２本の第２の摺動支柱を有する第２の側面フレームと、
前記天井フレームの上に配置される屋根板と、
前記天井フレームに設けられ、前記屋根板を着脱自在に締結する屋根板クランプ部材とを備えた本体ユニットを有することを特徴とする仮設通路。
【請求項２】
請求項１記載の仮設通路において、前記屋根板クランプ部材は、前記天井フレームの一端部に固定されて前記屋根板の一端部に係合する係合部材と、前記屋根板の他端部を締結する締結部材および前記屋根板支持パイプの他端部に嵌合する嵌合パイプを備えたクランプ具を有することを特徴とする仮設通路。
【請求項３】
請求項１または２記載の仮設通路において、相互に所定の間隔を隔てて配置された複数の前記本体ユニットと、相互に隣接し合う２つの前記本体ユニットの前記天井フレーム間に着脱自在に連結される連結天井フレームと、前記第１の側面フレーム間に着脱自在に連結される第１の連結安全柵と、前記第２の側面フレーム間に着脱自在に連結される第２の連結安全柵とを有することを特徴とする仮設通路。
【請求項４】
請求項３記載の仮設通路において、前記連結天井フレームは相互に平行な複数の屋根板支持パイプを有し、前記連結天井フレームの上に配置される屋根板は、前記連結天井フレームの一端部に固定されて前記屋根板の一端部に係合する係合部材と、前記屋根板の他端部を締結する締結部材および前記屋根板支持パイプの他端部に嵌合する嵌合パイプを備えたクランプ具とにより締結されるようにしたことを特徴とする仮設通路。
【請求項５】
請求項１ないし４のいずれか１項記載の仮設通路において、前記第１および第２の側面フレームのそれぞれの摺動支柱に対して着脱自在の床板取付金具と、前記床板取付金具に着脱自在に装着される梁部材と、前記梁部材の上に着脱自在に配置される床板とを有することを特徴とする仮設通路。
【発明の詳細な説明】
【０００１】
【発明の属する技術分野】
本発明は建築物を建築する際に、建築現場とそれの近くに設置される現場事務所などとの間に設置される仮設通路に関する。
【０００２】
【従来の技術】
中層や高層の建物、橋、道路、地下構築物などの種々の建築物や建造物を建築する際には、建築現場の近くに現場事務所や作業者の休憩所などの種々の仮設建物が配置されることになり、建築現場と仮設建物との間に作業者が行き来するための仮設通路が建築されている。
【０００３】
【発明が解決しようとする課題】
このような仮設通路は建築物の建築作業が終了すると撤去されることになるので、組立作業と分解作業を迅速に行うことが望ましいだけでなく、仮設通路の設置場所まで仮設通路を構成する部材をトラックなどにより容易に運搬することができることが望ましい。
【０００４】
本発明の目的は、仮設通路を容易に分解組立を行うことができ、仮設通路を構成する部材をトラックなどにより容易に運搬することができるようにすることにある。
【０００５】
【課題を解決するための手段】
本発明の仮設通路は、相互に平行な複数の屋根板支持パイプを有する天井フレームと、前記天井フレームの一端部に開閉自在に取り付けられた２本の第１の開閉支柱、およびそれぞれの第１の開閉支柱に摺動自在に嵌合されるとともに相互に安全柵により連結された２本の第１の摺動支柱を有する第１の側面フレームと、前記天井フレームの他端部に開閉自在に取り付けられる２本の第２の開閉支柱、およびそれぞれの第２の開閉支柱に摺動自在に嵌合されるとともに相互に安全柵により連結された２本の第２の摺動支柱を有する第２の側面フレームと、前記天井フレームの上に配置される屋根板と、前記天井フレームに設けられ、前記屋根板を着脱自在に締結する屋根板クランプ部材とを備えた本体ユニットを有することを特徴とする。
【０００６】
本発明の仮設通路にあっては、前記屋根板クランプ部材は、前記天井フレームの一端部に固定されて前記屋根板の一端部に係合する係合部材と、前記屋根板の他端部を締結する締結部材および前記屋根板支持パイプの他端部に嵌合する嵌合パイプを備えたクランプ具を有することを特徴とする。
【０００７】
本発明の仮設通路にあっては、相互に所定の間隔を隔てて配置された複数の前記本体ユニットと、相互に隣接し合う２つの前記本体ユニットの前記天井フレーム間に着脱自在に連結される連結天井フレームと、前記第１の側面フレーム間に着脱自在に連結される第１の連結安全柵と、前記第２の側面フレーム間に着脱自在に連結される第２の連結安全柵とを有することを特徴とする。
【０００８】
本発明の仮設通路にあっては、前記連結天井フレームは相互に平行な複数の屋根板支持パイプを有し、前記連結天井フレームの上に配置される屋根板は、前記連結天井フレームの一端部に固定されて前記屋根板の一端部に係合する係合部材と、前記屋根板の他端部を締結する締結部材および前記屋根板支持パイプの他端部に嵌合する嵌合パイプを備えたクランプ具とにより締結されるようにしたことを特徴とする。
【０００９】
本発明の仮設通路にあっては、前記第１および第２の側面フレームのそれぞれの摺動支柱に対して着脱自在の床板取付金具と、前記床板取付金具に着脱自在に装着される梁部材と、前記梁部材の上に着脱自在に配置される床板とを有することを特徴とする。
【００１０】
【発明の実施の形態】
以下、本発明の実施の形態を図面に基づいて詳細に説明する。
【００１１】
図１は本発明の仮設通路を示す側面図であり、この仮設通路は相互にサイズが同一の３つの本体ユニットＵM と、相互に長さが相違する２つの連結ユニットＵA 、ＵB とを有している。
【００１２】
図２は本体ユニットＵM の基本構造を示す斜視図であり、図３は図２の正面図であり、図４は図２の右側面図である。本体ユニットＵM は天井フレーム１０と、これの両端部に設けられた第１と第２の側面フレーム１１，１２とを有し、天井フレーム１０の上には図６（Ａ）に示す屋根板１３が配置されるようになっている。
【００１３】
天井フレーム１０は、相互に平行となって通路の横方向に延びる２本の屋根板支持パイプ１４と、これらの屋根板支持パイプ１４に対して直角方向に延びてこれらを連結する３本の連結パイプ１５とを有し、四辺形となっている。それぞれの屋根板支持パイプ１４、連結パイプ１５は断面正方形の金属製の角パイプにより形成されている。
【００１４】
第１の側面フレーム１１は、天井フレーム１０の一端部に開閉自在に取り付けられた２本の第１の開閉支柱１６ａと、それぞれの開閉支柱１６ａに摺動自在に嵌合される２本の摺動支柱１７ａを有している。開閉支柱１６ａと摺動支柱１７ａは、それぞれ角パイプにより形成されており、開閉支柱１６ａは摺動支柱１７ａよりも断面寸法が小さくなっている。２本の摺動支柱１７ａは、水平パイプと垂直パイプとを有する安全柵１８ａにより連結され、この安全柵１８ａには垂直方向と水平方向に延びそれぞれワイヤ製のネット１９ａが固定されている。
【００１５】
開閉支柱１６ａを天井フレーム１０に対して開閉自在に取り付けるために、天井フレーム１０に固定された支持ブラケット２１ａには支持ピン２２ａにより開閉支柱１６ａがピン結合されており、開閉支柱１６ａは支持ピン２２ａを中心に回動自在となっている。
【００１６】
本体ユニットＵM を折り畳んだ状態とするには、開閉支柱１６ａを摺動支柱１７ａの中に入り込ませることになり、本体ユニットＵM を組み立てる際には開閉支柱１６ａを摺動支柱１７ａから引き出すことになる。引き出した状態で側面フレーム１２を所定の長さとして開閉支柱１６ａと摺動支柱１７ａとを相互に固定するために、開閉支柱１６ａに形成された貫通孔に貫通する固定ピン２３ａが図示しないチェーンなどにより側面フレーム１１に設けられている。
【００１７】
天井フレーム１０の一端部には２つのガイドアーム２４ａが支持ピン２５ａにより回動自在に取り付けられており、それぞれのガイドアーム２４ａに形成されたガイド孔２６ａには開閉支柱１６ａに固定された摺動ピン２７ａが係合している。２本のガイドアーム２４ａの先端は連結棒２８ａにより相互に連結されている。
【００１８】
第２の側面フレーム１２は第１の側面フレーム１１と同様の構造となっており、図２の側面フレーム１２を構成する部材であって、第１の側面フレーム１１を構成する部材と共通する部材は、同一の番号に符号ｂを付して示されている。
【００１９】
したがって、それぞれの側面フレーム１１，１２の開閉支柱１６ａ，１６ｂを摺動支柱１７ａ，１７ｂ内に入り込ませると、側面フレーム１１，１２の長さ寸法を短くすることができ、その状態で支持ピン２２ａ，２２ｂを中心にそれぞれの側面フレーム１１，１２を閉じた状態に回動させると、図５に示すように、本体ユニットＵM は折り畳んだ状態となる。この状態で本体ユニットＵM を運搬したり、保管することができ、狭いスペースで本体ユニットＵM を運搬や保管することができる。
【００２０】
天井フレーム１０の上に配置される屋根板１３を固定するために、天井フレーム１０の一端部にはＬ字形状に板材を折り曲げることにより形成された係合部材３１が天井フレーム１０の上方に突出して固定されている。天井フレーム１０の他端部には天井フレーム１０の端部の長さ寸法に対応した長さのクランプ具３２が着脱自在に装着されるようになっており、このクランプ具３２は、図６（Ｂ）に示すように、天井フレーム１０の屋根板支持パイプ１４の他端部内の孔１４ａに嵌合する２つの嵌合パイプ３３を有するとともに、屋根板１３の上面に向けて折れ曲がった締結部材３４を有している。係合部材３１とクランプ具３２とにより屋根板クランプ部材が構成されている。
【００２１】
したがって、天井フレーム１０に上に配置された屋根板１３の一端部を係合部材３１に係合し、クランプ具３２の嵌合パイプ３３を屋根板支持パイプ１４の端部内の孔１４ａ内に嵌合させることにより締結部材３４を屋根板１３の他端部に締結させることによって、屋根板１３は簡単に天井フレーム１０の上面にクランプすることができる。
【００２２】
屋根板１３としては、図示する場合にはキーストンプレートが使用されており、このキーストンプレートは、断面がほぼＵ字形状となった部分が連なった形状となっている。キーストンプレートに代えて、円弧状断面となった部分が連なった波板や平坦な板材などを屋根板１３として使用するようにしても良い。また、屋根板１３としては、天井フレーム１０のサイズに対応したサイズのものを配置するようにしても良く、それよりも幅寸法が小さいものを複数枚天井フレーム１０の上に配置するようにしても良い。
【００２３】
相互に所定の間隔を隔てて配置された本体ユニットＵM の間に連結ユニットＵA ，ＵB を連結するために、第１の側面フレーム１１の前後両側には天井用の連結金具３５ａと安全柵用の連結金具３６ａ，３７ａが取り付けられ、第２の側面フレーム１２にも同様の連結金具３５ｂ，３６ｂ，３７ｂが取り付けられており、それぞれの連結金具には貫通孔が形成されている。
【００２４】
それぞれの摺動支柱１７ａ，１７ｂの下端面には高さ調整金具２０がねじ結合されており、設置面の表面に応じて側面フレーム１１，１２の高さを微調整することができる。図３に示す本体ユニットＵM の高さ寸法Ｈは約２１０cmであり、間口寸法Ｗは約１５０cmであり、図４に示す奥行き寸法Ｄは約９０cmとなっている。ただし、これらの寸法は任意に設定することができる。
【００２５】
連結ユニットＵA は、図７に示す連結天井フレーム４０ａを有しており、連結天井フレーム４０ａは、相互に平行となって通路の横方向に延びる２本の屋根板支持パイプ４１と、これらに対して直角方向に延びてこれらを連結する３本の連結パイプ４２とにより形成されて四辺形となっている。それぞれの屋根板支持パイプ４１、連結パイプ４２は断面正方形の金属製の角パイプにより形成されている。
【００２６】
連結天井フレーム４０ａの上に配置される屋根板１３を固定するために、連結天井フレーム４０ａの一端部には、係合部材３１と同様に、Ｌ字形状に板材を折り曲げることにより形成された係合部材４３が連結天井フレーム４０ａの上方に突出して固定されている。連結天井フレーム４０ａの他端部には、図１に示すように、連結天井フレーム４０ａの端部の長さ寸法に対応した長さのクランプ具４４ａが着脱自在に装着されるようになっており、このクランプ具４４ａは、前述したクランプ具３２と同様に、連結天井フレーム４０ａの屋根板支持パイプ４１の他端部内の孔に嵌合する２つの嵌合パイプを有するとともに、屋根板１３の上面に向けて折れ曲がった締結部材を有している。
【００２７】
このように、係合部材４３とにより屋根板クランプ部材を構成するクランプ具４４ａは、長さ寸法が相違することを除き、クランプ具３２と同様の構造となっており、連結天井フレーム４０ａの上に配置した屋根板１３の一端部を係合部材４３により係合させ、クランプ具４４ａの嵌合パイプを屋根板支持パイプ４１の端部の孔内に嵌合させて締結部材を屋根板１３の他端部に締結させることによって、屋根板１３は簡単に連結天井フレーム４０ａの上面にクランプすることができる。それぞれのクランプ具３２，４４ａは天井フレーム１０、連結天井フレーム４０ａに取り付けられた後には、外れないようにそれぞれに固定されるようになっている。
【００２８】
連結天井フレーム４０ａの四隅には、連結ピン４５が下方に向けて突出しており、それぞれの連結ピン４５を連結金具３５ａ，３５ｂの貫通孔に嵌合させることによって、連結天井フレーム４０ａを２つの本体ユニットＵM の間に連結することができる。
【００２９】
連結ユニットＵA は、図８に示す連結安全柵５０ａを有し、連結安全柵５０ａは、３本の水平パイプと４本の垂直パイプとを接合することにより形成されており、連結安全柵５０ａには垂直方向と水平方向に延びそれぞれワイヤ製のネット５１が固定されている。
【００３０】
連結安全柵５０ａの両端部の上下には、図８に示すように、２つずつ連結ピン５２が下方に向けて突出しており、それぞれの連結ピン５２を連結金具３６ａ，３６ｂ，３７ａ，３７ｂの貫通孔に嵌合させることによって、連結安全柵５０ａを２つの本体ユニットＵM の間に連結することができる。
【００３１】
本体ユニット１０に設けられる連結金具３５ａ〜３７ｂにそれぞれピンを設け、連結天井フレーム４０ａ，４０ｂ、連結安全柵５０ａ，５０ｂにピンが嵌合される貫通孔をそれぞれ設けるようにしても良い。
【００３２】
連結安全柵５０ａは、２つの本体ユニットＵM の第１の側面フレーム１１の間と、第２の側面フレーム１２の間とに連結されることになり、一方が第１の連結安全柵となり、他方が第２の連結安全柵となるが、両方の連結安全柵は相互に同一の構造となっている。
【００３３】
図１に示す連結ユニットＵB の長さ寸法Ｌ2 は、連結ユニットＵA の長さ寸法Ｌ1 が約１８０cmであるのに対して、その半分の長さとなっていることを除き、連結ユニットＵA と同様の構造となっており、連結天井フレーム４０ｂと、２つの連結安全柵５０ｂとから構成されている。この連結ユニットＵB の連結天井フレーム４０ｂに配置される屋根板１３を締結するためのクランプ具４４ｂとしては、図６に示したクランプ具３２と同様のものを使用することができる。
【００３４】
図９は本体ユニットＵM における摺動支柱１７ａ，１７ｂの下端部に設けられた高さ調整金具２０を拡大して示す図であり、高さ調整金具２０は摺動支柱１７ａ，１７ｂの下端部に固定されたねじ部材４６にねじ結合されるジャッキベース４７と、ねじ部材４６にねじ結合される締め付けナット４８とを有しており、ジャッキベース４７を回転させることによって、それぞれの側面フレーム１１，１２の高さを調整することができる。ジャッキベース４７には複数の取付孔４７ａが形成されており、仮設通路を設置する場所の木製の板材に対して釘やねじによってジャッキベース４７を固定することができる。
【００３５】
仮設通路をコンクリート製の床面に対して設置する場合には、アンカーボルトが使用されることになる。アンカーボルトを用いて摺動支柱１７ａ，１７ｂを固定する場合には、図９に示すように、ボルト固定プレート４９を用いることができる。このボルト固定プレート４９には複数の取付孔４９ａが形成されており、それぞれの取付孔４９ａを貫通させて図示しないアンカーボルトが取り付けられることになる。そのボルト固定プレート４９の中央部にはジャッキベース４７の球面部が入り込む位置決め孔４９ｂが形成されており、この位置決め孔４９ｂはボルト４６の径よりも大きなスリット４９ｃが形成されている。このボルト固定プレート４９を用いた場合には、このプレート４９を介してジャッキベース４７の外周部がコンクリート面に押し付けられることになる。
【００３６】
前述した本体ユニットＵM と、連結ユニットＵA ，ＵB とを用いて、建築現場や工事現場において仮設通路を設置するには、本体ユニットＵM は図５に示すように折り畳んだ状態とし、他の部材とともにトラックなどの輸送手段によって建築現場に運搬する。建築現場では、本体ユニットＵM を図２に示すように広げた状態とし、隣り合う２つの本体ユニットＵM の間に連結天井フレーム４０ａまたは４０ｂと、２つの連結安全柵５０ａまたは５０ｂを連結する。そして、それぞれの天井フレーム１０と連結天井フレーム４０ａ，４０ｂの上に屋根板１３を配置した後に、屋根板１３をクランプ具を用いて締結する。
【００３７】
このように、それぞれの部材をピン結合することによって、短時間で仮設通路を設置することができるとともに、建築終了後には容易に仮設通路を分解することができる。
【００３８】
図１０は本発明の他の実施の形態である仮設通路の本体ユニットＵM を示す正面図であり、この場合には、仮設通路の下部には床板５５を敷設することができるようになっている。そのため、図１１に示すように、摺動支柱１７ａ，１７ｂの下端部には、床板取付金具５６がボルト５７およびナット５８により着脱自在に装着されるようになっている。この床板取付金具５６には、横方向の土台用の梁部材６１と、縦方向の土台用の梁部材６２，６３がボルトとナットにより締結されるようになっており、これらの梁部材６１〜６３の上に所定の幅の床板５５を配置することができる。
【００３９】
このように、仮設通路を構成する本体ユニットＵM の摺動支柱１７ａ，１７ｂの下端部に床板５５を設置することによって、仮設通路が敷設される地面に凹凸があっても、地面を平坦にならすことなく、迅速に仮設通路を設置することができる。図１１に示すように、床板取付金具５６を用いる場合にも、図９に示したボルト固定プレート４９を用いることによりコンクリート製の床面に仮設通路を設置することができる。
【００４０】
本発明は前記実施の形態に限定されるものではなく、その要旨を逸脱しない範囲で種々変更可能であることはいうまでもない。
【００４１】
たとえば、図１にあっては、３つの本体ユニットＵM と、サイズが相違した２つの連結ユニットＵA ，ＵB とを有する仮設通路を示すが、それぞれのユニットを任意の数とすることにより、任意の長さの仮設通路を設置することができる。しかも、図１にあっては直線状に仮設通路を設置しているが、上面からみてＴ字形状、十字形状あるいはＬ字形状にも仮設通路を設置することができる。
【００４２】
【発明の効果】
本発明にあっては、仮設通路を構成する本体ユニットは折り畳んだ状態で運搬したり保管することができ、屋根板および本体ユニットに連結される連結天井フレームと連結安全柵とをそれぞれ分解した状態で運搬したり保管することができる。仮設通路を設置する際には、本体ユニットを開いた状態とし、本体ユニットの間を連結ユニットにより連結することにより、所望の長さの仮設通路を組み立てることができる。
【図面の簡単な説明】
【図１】本発明の仮設通路を示す側面図である。
【図２】本体ユニットの基本構造を示す斜視図である。
【図３】図２の正面図である。
【図４】図２の右側面図である。
【図５】側面フレームを閉じて折り畳んだ状態の本体ユニットを示す正面図である。
【図６】（Ａ）は屋根板の一例を示す斜視図であり、（Ｂ）はクランプ具を示す斜視図である。
【図７】連結天井フレームを示す斜視図である。
【図８】連結安全柵を示す斜視図である。
【図９】摺動支柱の下端部に設けられた高さ調整金具を示す拡大斜視図である。
【図１０】本発明の他の実施の形態である仮設通路を構成する本体ユニットを示す正面図である。
【図１１】図１０に示された摺動支柱の下端部に取り付けられる床板取付金具を示す斜視図である。
【符号の説明】
１０      天井フレーム
１１      第１の側面フレーム
１２      第２の側面フレーム
１３      屋根板
１４      屋根板支持パイプ
１６ａ    第１の開閉支柱
１６ｂ    第２の開閉支柱
１７ａ    第１の摺動支柱
１７ｂ    第２の摺動支柱
１８ａ，１８ｂ  安全柵
１９ａ，１９ｂ  ネット
２１ａ，２１ｂ  支持ブラケット
２２ａ，２２ｂ  支持ピン
２３ａ，２３ｂ  固定ピン
２４ａ，２４ｂ  ガイドアーム
２５ａ，２５ｂ  支持ピン
２６ａ，２６ｂ  ガイド孔
２７ａ，２７ｂ  摺動ピン
２８ａ，２８ｂ  連結ピン
３１      係合部材
３２      クランプ具
３３      嵌合パイプ
３４      締結部材
３５ａ，３５ｂ  連結金具
３６ａ，３６ｂ  連結金具
３７ａ，３７ｂ  連結金具
４０ａ，４０ｂ  連結天井フレーム
４１      屋根板支持パイプ
４３      係合部材
４４ａ，４４ｂ  クランプ具
５０ａ，５０ｂ  連結安全柵
５５      床板
５６      床板取付金具
【図１】
0004124541.tif 000002
【図２】
0004124541.tif 000003
【図３】
0004124541.tif 000004
【図４】
0004124541.tif 000005
【図５】
0004124541.tif 000006
【図６】
0004124541.tif 000007
【図７】
0004124541.tif 000008
【図８】
0004124541.tif 000009
【図９】
0004124541.tif 000010
【図１０】
0004124541.tif 000011
【図１１】
0004124541.tif 000012